(57)【要約】【課題】湿気の多い環境下におけるタッチパネル基板上の配線の断線を減少させること。【解決手段】タッチパネルは、片面に配線が設けられる矩形のタッチパネル基板と、前記タッチパネル基板に対向する透明板と、前記タッチパネル基板と前記透明板との間に設けられ、当該タッチパネル基板と密着しかつ前記透明板に接着されるフィルムとを含み、前記タッチパネル基板の前記片面には、センサ電極が配置されるセンサ領域と、外部配線と接続するための接続領域とが配置され、前記接続領域は、前記センサ領域と前記片面の４辺のうちいずれか一辺との間に設けられ、前記フィルムは、平面的にみて前記センサ領域と前記接続領域の間から前記一辺と反対側に向かって延びる第１の領域と、前記第１の領域より前記一辺に近い領域を含み、かつ、前記第１の領域に接続するとともに前記接続領域に重ならない第２の領域と、を含む。【選択図】図１
2014002558.tif 000002
【特許請求の範囲】
【請求項１】
片面に配線が設けられる矩形のタッチパネル基板と、
前記タッチパネル基板の前記片面に対向する透明板と、
前記タッチパネル基板と前記透明板との間に設けられ、当該タッチパネル基板と密着しかつ前記透明板に接着されるフィルムとを含み、
前記タッチパネル基板の前記片面には、センサ電極が配置されるセンサ領域と、外部配線と接続するための接続領域とが配置され、
前記接続領域は、前記センサ領域と前記片面の４辺のうちいずれか一辺との間に設けられ、
前記フィルムは、平面的にみて前記センサ領域と前記接続領域の間から前記一辺と反対側に向かって延びる第１の領域と、前記第１の領域より前記一辺に近い領域を含み、かつ、前記第１の領域に接続するとともに前記接続領域に重ならない第２の領域と、を含む、
ことを特徴とするタッチパネル。
【請求項２】
前記第１の領域は、平面的にみて前記接続領域に隣接する、
ことを特徴とする請求項１に記載のタッチパネル。
【請求項３】
前記第２の領域のうち前記第１の領域より前記一辺に近い部分は、前記配線の屈曲部を覆う、
ことを特徴とする請求項１または２に記載のタッチパネル。
【請求項４】
前記フィルムは防湿フィルムであることを特徴とする請求項１から３のいずれかに記載のタッチパネル。
【請求項５】
前記接続領域は、前記一辺に隣接する矩形の領域であり、
前記第１の領域の前記一辺の側の端は、直線状である、
ことを特徴とする請求項１から４のいずれかに記載のタッチパネル。
【請求項６】
前記接続領域は、異方性導電膜を介してＦＰＣ配線に接続される、
ことを特徴とする請求項１から５のいずれかに記載のタッチパネル。
【請求項７】
前記異方性導電膜と前記フィルムとの間に設けられる樹脂をさらに含む、
ことを特徴とする請求項６に記載のタッチパネル。
【発明の詳細な説明】
【技術分野】
【０００１】
本発明はタッチパネル装置に関する。
【背景技術】
【０００２】
近年はタッチパネルを用いた情報機器が普及しつつある。タッチパネルが用いられる情報機器は、例えば携帯電話、スマートフォン、タブレット端末などである。タッチパネルの特性を活かすため、タッチパネルは液晶表示パネルなどの表示パネルの上に設けられることが多い。表示パネルの表示領域とタッチパネルの感知領域とは平面的にみて重なっている。タッチパネルは、そのタッチパネルの上からのユーザの指の接触やその指のタッチパネルへの近接を検出する。
【０００３】
特許文献１には、表示パネルと、タッチパネル基板と、前面保護板とが重ねられたタッチパネル付き表示モジュールが開示されている。このタッチパネル付き表示モジュールでは、タッチパネル基板と前面保護板とが接着されている。
【先行技術文献】
【特許文献】
【０００４】
【特許文献１】特開２０１０−８５９２３号公報
【発明の概要】
【発明が解決しようとする課題】
【０００５】
タッチパネルを液晶表示装置と組み合わせて使用する場合に、偏光サングラスでも視認を可能にするために、偏光の角度を分散するフィルムをタッチパネル基板と前面保護板との間に設けることが考えられている。この場合、フィルムは表示パネルの矩形の表示領域を覆うように設けられる。また、平面的にみてタッチパネル基板の辺のうち一辺に沿う領域には、フレキシブル基板等が異方性導電膜を介して接着される。通常、表示領域を覆うためのフィルムは表示領域にあわせた矩形とし、かつ異方性導電膜との干渉を避けるため、フィルムがタッチパネル基板の全面を覆うことはなく、タッチパネル基板上の一部の領域にある絶縁膜は外気に触れやすくなる。
【０００６】
ところで、近年は、タッチパネルを備えた機器を風呂場などの水気の多いところで使うことが増えており、湿気に対する耐久性が求められつつある。本出願の発明者らは、湿気の多い環境下で上述の構成を有するタッチパネルの耐久検査を行うと、タッチパネル基板上の配線であって、フィルムに覆われていない部分を通る配線に断線が発生しやすいことを発見した。その原因としては、フィルムが覆っていないタッチパネル基板上の領域にある絶縁膜が、湿気により経年劣化し、エレクトロマイグレーションを加速したことが考えられる。
【０００７】
本発明は上記課題を鑑みてなされたものであって、その目的は、湿気の多い環境下におけるタッチパネル基板上の配線の断線を減少させたタッチパネルを提供することにある。
【課題を解決するための手段】
【０００８】
本出願において開示される発明のうち、代表的なものの概要を簡単に説明すれば、以下
の通りである。
【０００９】
（１）片面に配線が設けられる矩形のタッチパネル基板と、前記タッチパネル基板の前記片面に対向する透明板と、前記タッチパネル基板と前記透明板との間に設けられ、当該タッチパネル基板と密着しかつ前記透明板に接着されるフィルムとを含み、前記タッチパネル基板の前記片面には、センサ電極が配置されるセンサ領域と、外部配線と接続するための接続領域とが配置され、前記接続領域は、前記センサ領域と前記片面の４辺のうちいずれか一辺との間に設けられ、前記フィルムは、平面的にみて前記センサ領域と前記接続領域の間から前記一辺と反対側に向かって延びる第１の領域と、前記第１の領域より前記一辺に近い領域を含み、かつ、前記第１の領域に接続するとともに前記接続領域に重ならない第２の領域と、を含む、ことを特徴とするタッチパネル。
【００１０】
（２）（１）において、前記第１の領域は、平面的にみて前記接続領域に隣接する、ことを特徴とするタッチパネル。
【００１１】
（３）（１）または（２）において、前記第２の領域のうち前記第１の領域より前記一辺に近い部分は、前記配線の屈曲部を覆う、ことを特徴とするタッチパネル。
【００１２】
（４）（１）から（３）のいずれかにおいて、前記フィルムは防湿フィルムであることを特徴とするタッチパネル。
【００１３】
（５）（１）から（４）のいずれかにおいて、前記接続領域は、前記一辺に隣接する矩形の領域であり、前記第１の領域の前記一辺の側の端は、直線状である、ことを特徴とするタッチパネル。
【００１４】
（６）（１）から（５）のいずれかにおいて、前記接続領域は、異方性導電膜を介してＦＰＣ配線に接続される、ことを特徴とするタッチパネル。
【００１５】
（７）（６）において、前記異方性導電膜と前記フィルムとの間に設けられる樹脂をさらに含む、ことを特徴とするタッチパネル。
【発明の効果】
【００１６】
本発明によれば、湿気の多い環境下におけるタッチパネル基板上の配線の断線を減少させることができる。
【図面の簡単な説明】
【００１７】
【図１】本発明の実施形態にかかるタッチパネルの構成の一例を示す平面図である。
【図２】図１のＡ−Ａ切断線におけるタッチパネルの断面図である。
【図３】タッチパネル基板と防湿フィルムとの配置の一例を概略的に示す平面図である。
【図４】比較例となるタッチパネルの構成の一例を示す平面図である。
【図５】図４のＡ−Ａ切断線におけるタッチパネルの断面図である。
【図６】本発明の実施形態にかかるタッチパネルの構成の他の例を示す部分平面図である。
【発明を実施するための形態】
【００１８】
以下では、本発明の実施形態について図面に基づいて説明する。出現する構成要素のうち同一機能を有するものには同じ符号を付し、その説明を省略する。
【００１９】
図１は、本発明の実施形態にかかるタッチパネルの構成の一例を示す平面図である。タッチパネルは、タッチパネル基板１１と、透明な前面保護板２０と、防湿フィルム１７と、異方性導電膜１８と、フレキシブル基板１９と、を含んでいる。なお、図１では前面保護板２０を省略して示している。タッチパネル基板１１は長方形の基板である。タッチパネル基板１１上には、複数の引出配線１４，１５と、外周配線１６と、垂直位置検出用のタッチパネル電極１２と水平位置検出用のタッチパネル電極１３とが設けられる。防湿フィルム１７は例えばＰＥＴからなり、偏光を拡散する効果も有する。
【００２０】
以下ではタッチパネル基板１１が図１に示す方向を向いているとして平面的な配置を説明する。異方性導電膜１８はタッチパネル基板１１上の一部の領域と接触している。その一部の領域は、タッチパネル基板１１の下辺中央部に沿って延びる領域であり、以下ではこの領域を接続領域３１と呼ぶ。接続領域３１には複数の端子が設けられている。フレキシブル基板１９と接続領域３１に含まれる端子とは、異方性導電膜１８を介して接続されている。
【００２１】
引出配線１４は接続領域３１内の端子と垂直位置検出用のタッチパネル電極１２とを接続する。引出配線１４のそれぞれは、垂直位置検出用のタッチパネル電極１２の左右端のうち一方から外側（左又は右側）に向かって延び、他の引出配線１４と干渉しない位置から下方に向かい、さらに接続領域３１に近づくと内側（右または左側）に向かった後に下側に屈曲して接続領域３１の対応する端子に接続する。端子は左右方向に並んでおり、下側にある垂直位置検出用のタッチパネル電極１２に接続される引出配線１４ほど、内側の端子に接続されるよう配置される。また、引出配線１４のそれぞれのうちは接続領域３１そばで内側に屈曲した部分は、その引出配線１４が下側にある垂直位置検出用のタッチパネル電極１２に接続されるにつれ、上側に配置される。
【００２２】
引出配線１５は接続領域３１内の端子と水平位置検出用のタッチパネル電極１３とを接続する。引出配線１５のそれぞれは、水平位置検出用のタッチパネル電極１３の下端に接続し、そこから下方向に延びた後に左右方向のうち内側に向かい、左右方向の中央付近でふたたび下方に向かった後に接続領域３１の対応する端子に接続する。外周配線１６は接続領域３１の右端にある端子から上方に少し延び、すぐに右側（左右方向外側）に向かって延びる。外周配線１６はタッチパネル基板１１の右端に隣接する部分で屈曲し、上方に向かって延びる。その後、外周配線１６は、タッチパネル基板１１の右端、上端、左端に沿って延び、接続領域３１に近づくと屈曲し左側（内側）に向かって延び、接続領域３１の左端にある端子の上方で下側に屈曲しその端子に接続する。外周配線１６は、引出配線１４，１５よりタッチパネル基板１１上の外側に配置されており、特にタッチパネル基板１１の下部で左右方向に延びる部分は、引出配線１４，１５よりタッチパネル基板１１の下辺に近くなる。
【００２３】
図２は、図１のＡ−Ａ切断線におけるタッチパネルの断面図である。前面保護板２０は、タッチパネル基板１１に対向しており、タッチパネル基板１１と前面保護板２０との間には防湿フィルム１７が挟まれている。タッチパネル基板１１の前面保護板２０側の面には絶縁膜２３が存在し、その絶縁膜２３と防湿フィルム１７とは密着しており、それらの間に外気が入らない。また防湿フィルム１７と前面保護板２０とは接着用樹脂２４により接着されている。接着用樹脂２４は例えば熱硬化樹脂やＵＶ硬化樹脂である。なお、引出配線１４，１５や外周配線１６などの配線は、タッチパネル基板１１に接するよう設けられるＩＴＯ配線部２１と、そのＩＴＯ配線部２１の上面（タッチパネル基板１１と反対側の面）と接する金属配線部２２とを含んでいる。
【００２４】
図３は、タッチパネル基板１１と防湿フィルム１７との配置の一例を概略的に示す平面図である。タッチパネル基板１１上には、垂直位置検出用のタッチパネル電極１２と水平位置検出用のタッチパネル電極１３とが設けられるセンサ領域３０と、前述の接続領域３１とが存在する。接続領域３１は矩形であり、タッチパネル基板１１の下辺に隣接している。タッチパネルは、ほぼ同じ大きさの表示パネルと重ね合わせられて使用され、タッチパネル基板１１のセンサ領域３０は平面的にみてその表示パネルの表示領域と重なるように設けられている。防湿フィルム１７は、平面的にみてタッチパネル基板１１の４辺より少し小さく、接続領域３１の上端および左右端に隣接し、それらから一定の距離だけ離れた領域を覆うように配置されている。
【００２５】
別の見方をすれば、防湿フィルム１７は、平面的にみて、接続領域３１とセンサ領域３０との間でかつ接続領域３１から一定の間隔を有する部分からタッチパネル基板１１の上辺に向かって延びる第１の領域と、第１の領域の下端よりタッチパネル基板１１の下辺に近くかつ接続領域３１に重ならない部分からタッチパネル基板１１の上辺に向かって延びる第２の領域とを含んでいる。ここで、第１の領域と第２の領域とは接続している。図１や図３の例では、接続領域３１がタッチパネル基板１１の下端そばの左右方向の中央にあるため、第２の領域は接続領域３１の右側と左側のそれぞれからタッチパネル基板１１の上辺に向かって延びている。
【００２６】
なお、第２の領域は、必ずしも接続領域３１の上端よりタッチパネル基板１１の下辺に近くになくてもよい。その理由については後述する。また図１や図３の例では防湿フィルム１７は下辺側の中央部に矩形状の凹みがあるような平面的形状をしており、凹みの上端、つまり第１の領域の下端は左右方向に直線状に延びている。ここで、第２の領域の下端は、必ずしも直線状でなくてもよい。例えば、凹みの近くやフィルムの左下端や右下端のそばが丸くなっていてもよい。
【００２７】
図４は、タッチパネルの構成の比較例を示す平面図である。図１に示すタッチパネルとの主な相違点は、図１の防湿フィルム１７に対応する偏光調整フィルム５１の平面的形状である。偏光調整フィルム５１は平面的にみて矩形になっており、偏光調整フィルム５１の下辺とタッチパネル基板１１の下辺とが平行になっている。この比較例では、偏光調整フィルム５１は製造誤差や実装上の都合で異方性導電膜１８と一定の距離を離している。一方、配線の間隔はその距離より短いので、複数の配線のうちタッチパネルの下辺に最も近い位置を左右方向に延びる配線（例えば図４の外周配線１６）の一部を偏光調整フィルム５１は覆わない。
【００２８】
図５は、図４のＡ−Ａ切断線におけるタッチパネルの断面図である。図２に示す防湿フィルム１７に比べると、偏光調整フィルム５１は内側に後退しており、外周配線１６の図中上方には偏光調整フィルム５１がない。これにより、外周配線１６を覆う絶縁膜２３がより外気に触れやすくなり、湿気による劣化が生じやすくなる。これにより、図４に示す外周配線１６のうち覆われない部分ではエレクトロマイグレーションが起きやすくなる。このエレクトロマイグレーションによって、特に図４の配線が屈曲する屈曲部６０で断線しやすくなる。
【００２９】
図１に示すタッチパネルでは、形状を工夫することによって外周配線１６の屈曲部６０に相当する部分が覆われているため、断線を低減することができる。また、防湿フィルム１７の形状の加工により絶縁膜２３の露出を防ぐ方法は、タッチパネル基板１１上の絶縁膜２３に直接樹脂を載せることに比べれば容易である。
【００３０】
なお、図１に示す接続領域３１の周囲のタッチパネル基板１１上の領域では防湿フィルム１７に覆われず、絶縁膜２３が外気に触れやすくなっている。この部分を外気から遮断するようにしてもよい。図６は、本発明の実施形態にかかるタッチパネルの構成の他の例を示す部分平面図である。図６に示すタッチパネルでは、異方性導電膜１８と防湿フィルム１７との間に被覆樹脂４０が設けられており、この被覆樹脂４０は、接続領域３１の周囲の絶縁膜２３が外気に触れやすい領域を覆っている。こうすることで、配線を覆う絶縁膜２３の劣化を低減し、断線の発生を減少させることができる。
【符号の説明】
【００３１】
１１  タッチパネル基板、１２，１３  タッチパネル電極、１４，１５  引出配線、１６  外周配線、１７  防湿フィルム、１８  異方性導電膜、１９  フレキシブル基板、２０  前面保護板、２１  ＩＴＯ配線部、２２  金属配線部、２３  絶縁膜、２４  接着用樹脂、３０  センサ領域、３１  接続領域、４０  被覆樹脂、５１  偏光調整フィルム、６０  屈曲部。
【図１】
2014002558.tif 000003
【図２】
2014002558.tif 000004
【図３】
2014002558.tif 000005
【図４】
2014002558.tif 000006
【図５】
2014002558.tif 000007
【図６】
2014002558.tif 000008